(57)【要約】      （修正有）【課題】負荷に対して、モーターの回転軸の回転数が足りず、十分な回転を与えられない場合においても、非接触給電により給電されるモーターと任意の電源の組合せによって負荷に対して高速回転を与える。【解決手段】非接触給電（無接点電源）により給電されるモーター２と任意の電源により給電されるモーター５の組合せにより、任意の電源により給電されるモーターによって得られる回転だけでなく、非接触給電により給電されるモーター本体を任意の電源により給電されるモーターによって回転させることにより、負荷に接続される回転軸の回転数は任意の電源により給電されるモーターの回転軸の回転数と非接触給電により給電されるモーターの回転軸の回転数の乗数となることから、任意の電源により給電されるモーターのみ、もしくは非接触給電により給電されるモーターのみを用いた場合に比べ負荷に対して高速回転を与えることを可能とする。【選択図】図１
2019080483.tif 000002
【特許請求の範囲】
【請求項１】
モーターによって回転を与えようとする負荷に対して、モーターの回転数が足りず、十分な回転を与えられない場合の問題を解決するための手段として、非接触給電（無接点電源）により給電されるモーター本体を他の任意の電源で給電されるモーターで回転させ、負荷に対して高速回転を与えることを最も主要な特徴とし、この特徴により、負荷に接続される回転軸の回転数は任意の電源により給電されるモーターによってのみ得られる回転、もしくは非接触給電（無接点電源）により給電されるモーターによってのみ得られる回転だけでなく、任意の電源により給電されるモーターの回転軸の回転数と非接触給電（無接点電源）により給電されるモーターの回転軸の回転数の乗数となることから、任意の電源により給電されるモーターのみ、もしくは非接触給電（無接点電源）により給電されるモーターのみを用いた場合に比べ負荷に対して高速回転を与えることが可能になる利点を持つ、非接触給電（無接点電源）と任意の電源を用いた組合せモーター
【発明の詳細な説明】
【技術分野】
【０００１】  本発明は、非接触給電（無接点電源）により給電されるモーターと任意の電源により給電されるモーターの組合せによって負荷に対して高速回転を与えるための、非接触給電（無接点電源）と任意の電源を用いた組合せモーターに関するものである。
【発明の概要】
【発明が解決しようとする課題】
【０００２】  解決しようとする問題点は、モーターによって回転を与えようとする負荷に対して、モーターの回転軸の回転数が足りず、十分な回転を与えられない場合の問題を解決する点にある。
【課題を解決するための手段】
【０００３】  本発明は、モーターによって回転を与えようとする負荷に対して、モーターの回転数が足りず、十分な回転を与えられない場合の問題を解決するため、非接触給電（無接点電源）により給電されるモーター本体を他の任意の電源で給電されるモーターで回転させ、負荷に対して高速回転を与えることを最も主要な特徴とする。
【発明の効果】
【０００４】  本発明の非接触給電（無接点電源）と任意の電源を用いた組合せモーターは、任意の電源により給電されるモーターによって得られる回転だけでなく、非接触給電（無接点電源）により給電されるモーター本体を任意の電源により給電されるモーターによって回転させることにより、負荷に接続される回転軸の回転数は任意の電源により給電されるモーターの回転軸の回転数と非接触給電（無接点電源）により給電されるモーターの回転軸の回転数の乗数となることから、任意の電源により給電されるモーターのみ、もしくは非接触給電（無接点電源）により給電されるモーターのみを用いた場合に比べ負荷に対して高速回転を与えることが可能になるという利点がある。
【図面の簡単な説明】
【０００５】
【図１】本発明装置の１実施例の側面図であって、１は非接触給電（無接点電源）により給電されるモーターの回転軸、２は非接触給電（無接点電源）により給電されるモーター、３は非接触給電（無接点電源）の受電側、４は非接触給電（無接点電源）の給電側、５は任意の電源により給電されるモーターである。
【０００６】
【図２】本発明装置の１実施例の正面図であって、１は非接触給電（無接点電源）により給電されるモーターの回転軸、２は非接触給電（無接点電源）により給電されるモーター、５は任意の電源により給電されるモーターである。
【０００７】
【図３】本発明装置の１実施例の側面図であって、１は非接触給電（無接点電源）により給電されるモーターの回転軸、２は非接触給電（無接点電源）により給電されるモーター、３は非接触給電（無接点電源）の受電側、４は非接触給電（無接点電源）の給電側、５は任意の電源により給電されるモーターの回転軸、６は任意の電源により給電されるモーターである。
【０００８】
【図４】本発明装置の１実施例の正面図であって、１は非接触給電（無接点電源）により給電されるモーターの回転軸、２は非接触給電（無接点電源）により給電されるモーター、３は非接触給電（無接点電源）の受電側である。
【０００９】
【図５】本発明装置の１実施例の側面図であって、１は非接触給電（無接点電源）により給電されるモーターの回転軸、２は非接触給電（無接点電源）により給電されるモーター、３は非接触給電（無接点電源）の受電側、４は非接触給電（無接点電源）の給電側、５は任意の電源により給電されるモーターの回転軸、６は任意の電源により給電されるモーター、７ａは８に接続されるファイナルギヤ、７ｂは５に接続されるギヤ、８はファイナルギヤの回転軸である。
【００１０】
【図６】本発明装置の１実施例の正面図であって、１は非接触給電（無接点電源）により給電されるモーターの回転軸、２は非接触給電（無接点電源）により給電されるモーター、３は非接触給電（無接点電源）の受電側、５は任意の電源により給電されるモーターの回転軸、６は任意の電源により給電されるモーター、７ｂは５に接続されるギヤである。
【００１１】
【図７】本発明装置の１実施例の側面図であって、１は非接触給電（無接点電源）により給電されるモーターの回転軸、２は非接触給電（無接点電源）により給電されるモーター、３は非接触給電（無接点電源）の受電側、４は非接触給電（無接点電源）の給電側、５は任意の電源により給電されるモーターの回転軸、６は任意の電源により給電されるモーター、７ａは８に接続されるファイナルプーリー、７ｂは５に接続されるプーリー、８はファイナルプーリーの回転軸、９はプーリーを回転させるためのベルトである。
【００１２】
【図８】本発明装置の１実施例の正面図であって、１は非接触給電（無接点電源）により給電されるモーターの回転軸、２は非接触給電（無接点電源）により給電されるモーター、３は非接触給電（無接点電源）の受電側、５は任意の電源により給電されるモーターの回転軸、７ｂは５に接続されるプーリー、９はプーリーを回転させるためのベルトである。
【発明を実施するための形態】
【００１３】  非接触給電（無接点電源）により給電されるモーターによって得られる回転に、任意の電源により給電されるモーターによって得られる回転を乗せる（追加する）ことで、より高速な回転を実現するという目的を、最小の部品点数で、モーターおよび非接触給電（無接点電源）が備える機能を損なわずに実現した。
【実施例１】
【００１４】  図１、図２において、非接触給電（無接点電源）を備え、非接触給電（無接点電源）により給電されるモーターを備え、かつ任意の電源により給電されるモーターとを備え、それぞれのモーターが同一の回転軸線上に配置され、非接触給電（無接点電源）により給電されるモーター本体が任意の電源により給電されるモーターの回転によって回転される構造であり、かつ任意の電源により給電されるモーターの回転軸は中心部が空洞（中空シャフト）であり、非接触給電（無接点電源）により給電されるモーターはこの空洞（中空シャフト）の内側に接して配置され、非接触給電（無接点電源）の給電側と非接触給電（無接点電源）の受電側は接しておらず、非接触給電の受電側は非接触給電（無接点電源）により給電されるモーターに固定される構造とする。
【実施例２】
【００１５】  図３、図４において、非接触給電（無接点電源）を備え、非接触給電（無接点電源）により給電されるモーターを備え、かつ任意の電源により給電されるモーターとを備え、それぞれのモーターが同一の回転軸線上に配置され、非接触給電（無接点電源）により給電されるモーター本体が任意の電源により給電されるモーターの回転によって回転される構造であり、かつ任意の電源により給電されるモーターの回転軸は非接触給電（無接点電源）の給電側には接しておらず、非接触給電（無接点電源）の受電側の中心点と非接触給電（無接点電源）により給電されるモーターの回転軸に接して配置され、非接触給電（無接点電源）の給電側と非接触給電（無接点電源）の受電側は接しておらず、非接触給電の受電側は非接触給電（無接点電源）により給電されるモーターに固定される構造とする。
【実施例３】
【００１６】  図５、図６において、隣接するギヤに接する複数のギヤを備え、非接触給電（無接点電源）を備え、非接触給電（無接点電源）により給電されるモーターを備え、かつ任意の電源により給電されるモーターとを備え、非接触給電（無接点電源）により給電されるモーター本体が任意の電源により給電されるモーターによって回転する複数のギヤを経由して回転される構造であり、かつファイナルギヤの回転軸は非接触給電（無接点電源）の給電側には接しておらず、非接触給電（無接点電源）の受電側の中心点と非接触給電（無接点電源）により給電されるモーターの回転軸に接して配置され、非接触給電（無接点電源）の給電側と非接触給電（無接点電源）の受電側は接しておらず、非接触給電の受電側は非接触給電（無接点電源）により給電されるモーターに固定される構造とする。
【実施例４】
【００１７】  図７、図８において、複数のプーリーを備え、複数のプーリーを回転させるためのベルトを備え、非接触給電（無接点電源）を備え、非接触給電（無接点電源）により給電されるモーターを備え、かつ任意の電源により給電されるモーターとを備え、非接触給電（無接点電源）により給電されるモーター本体が任意の電源により給電されるモーターによって回転する複数のプーリーとベルトの組合せにより回転される構造であり、かつファイナルプーリーの回転軸は非接触給電（無接点電源）の給電側には接しておらず、非接触給電（無接点電源）の受電側の中心点と非接触給電（無接点電源）により給電されるモーターの回転軸に接して配置され、非接触給電（無接点電源）の給電側と非接触給電（無接点電源）の受電側は接しておらず、非接触給電の受電側は非接触給電（無接点電源）により給電されるモーターに固定される構造とする。
【産業上の利用可能性】
【００１８】  モーターの回転軸に接続された負荷に対し、任意の電源により給電されるモーターのみ、もしくは非接触給電（無接点電源）により給電されるモーターのみによって得られる回転に比べ高速回転を与えることが出来、かつ簡単な構造でそれを実現できる。
【符号の説明】
【００１９】  図１、図２において、１は非接触給電（無接点電源）により給電されるモーターの回転軸、２は非接触給電（無接点電源）により給電されるモーター、３は非接触給電（無接点電源）の受電側、４は非接触給電（無接点電源）の送電側、５は任意の電源で給電されるモーター（これは中空モーター）である。【００２０】  図３、図４において、１は非接触給電（無接点電源）により給電されるモーターの回転軸、２は非接触給電（無接点電源）により給電されるモーター、３は非接触給電（無接点電源）の受電側、４は非接触給電（無接点電源）の送電側、５は任意の電源で給電されるモーターの回転軸、６は任意の電源で給電されるモーターである。【００２１】  図５、図６において、１は非接触給電（無接点電源）により給電されるモーターの回転軸、２は非接触給電（無接点電源）により給電されるモーター、３は非接触給電（無接点電源）の受電側、４は非接触給電（無接点電源）の送電側、５は任意の電源で給電されるモーターの回転軸、６は任意の電源で給電されるモーター、７ａは２および３に接続されるギヤ（ファイナルギヤ）であり、ギヤの中心が１の延長線上に位置し７ｂによって回転されるギヤ、７ｂは５に接続されるギヤであり、５を中心に回転し、７ａに接しており７ａに回転を与えるギヤ、８は７ａの中心に接続され２および３に回転を与える回転軸である。【００２２】  図７、図８において、１は非接触給電（無接点電源）により給電されるモーターの回転軸、２は非接触給電（無接点電源）により給電されるモーター、３は非接触給電（無接点電源）の受電側、４は非接触給電（無接点電源）の送電側、５は任意の電源で給電されるモーターの回転軸、６は任意の電源で給電されるモーター、７ａは２および３に接続されるプーリー（ファイナルプーリー）であり、プーリーの中心が１の延長線上に位置し７ｂと９によって回転されるプーリー、７ｂは５に接続されるプーリーであり、５を中心に回転し９を介して７ａに回転を与えるプーリー、８は７ａの中心に接続され２および３に回転を与える回転軸、９は７ｂから７ａに回転を与えるベルトである。
【図１】
2019080483.tif 000003
【図２】
2019080483.tif 000004
【図３】
2019080483.tif 000005
【図４】
2019080483.tif 000006
【図５】
2019080483.tif 000007
【図６】
2019080483.tif 000008
【図７】
2019080483.tif 000009
【図８】
2019080483.tif 000010